(57)【要約】【課題】工期を短縮することができる仮設建物等の建物の骨組構造、骨組キット、骨組構造の組立方法、及び骨組構造の設計方法を提供する。【解決手段】切妻式の屋根１０２を有する建物１００の骨組構造１は、互いに平行に配置されて建物１００の周壁１０４及び屋根１０２の骨組を構成する複数の門形骨組６を有し、門形骨組６の各々は、周壁１０４の骨組を構成する壁フレーム１０と、屋根１０２の骨組を構成するとともに、屋根１０２の棟１０６と直交する方向の少なくとも一方の平部１０８の長さを調整するための屋根調整フレーム３６，３８，４０，４２，４４と、を有する。【選択図】図６
2019105044.tif 000002
【特許請求の範囲】
【請求項１】
切妻式の屋根を有する建物の骨組構造であって、
互いに平行に配置されて前記建物の周壁及び前記屋根の骨組を構成する複数の門形骨組を有し、
前記門形骨組の各々は、
前記周壁の骨組を構成する壁フレームと、
前記屋根の骨組を構成するとともに、前記屋根の棟と直交する方向の少なくとも一方の平部の長さを調整するための屋根調整フレームと、を有する、
ことを特徴とする骨組構造。
【請求項２】
前記屋根の少なくとも一方の前記平部に、互いに異なる長さを有する複数の屋根調整フレームが設けられる、
請求項１に記載の骨組構造。
【請求項３】
前記屋根の少なくとも一方の前記平部に、同一の長さを有する複数の屋根調整フレームが設けられる、
請求項１または請求項２に記載の骨組構造。
【請求項４】
周壁及び切妻式の屋根の骨組を構成する複数の門形骨組が互いに平行に配置されて建物の骨組構造を構成する建物の、前記門形骨組のための骨組キットであって、
前記屋根の骨組を構成するとともに、前記屋根の棟と直交する方向の平部の長さを調整するための、屋根調整フレームを有する、
ことを特徴とする骨組キット。
【請求項５】
前記周壁の骨組を構成する一対の壁フレームと、
前記壁フレームと前記屋根調整フレームとを接続する一対の壁屋根接続フレームと、
前記屋根の棟を構成するとともに、その両端においてそれぞれ前記屋根調整フレームと接続する棟接続フレームと、を有する、
請求項４に記載の骨組キット。
【請求項６】
前記屋根調整フレームは、互いに異なる長さで複数用意されている、
請求項４または５に記載の骨組キット。
【請求項７】
前記屋根調整フレームは、同一長さで複数用意されている、
請求項４から請求項６のいずれか１項に記載の骨組キット。
【請求項８】
切妻式の屋根を有する建物の骨組構造を組み立てる組立方法であって、
前記建物の周壁を構成する壁フレームを立設する壁フレーム組立工程と、
前記壁フレームの上部に、屋根調整フレームを連結して前記屋根の骨組を形成する屋根フレーム組立工程と、を有し、
前記屋根フレーム組立工程は、前記屋根調整フレームを必要数連結することで、前記屋根の棟と直交する方向の少なくとも一方の平部の長さを調整する屋根調整工程を含む、
ことを特徴とする骨組構造の組立方法。
【請求項９】
前記屋根調整工程は、互いに異なる長さの複数の屋根調整フレームを用いて、前記屋根の棟と直交する方向の前記平部の長さを調整する、
請求項８に記載の骨組構造の組立方法。
【請求項１０】
前記屋根調整工程は、互いに同一の長さの複数の屋根調整フレームを用いて、前記屋根の棟と直交する方向の前記平部の長さを調整する、
請求項８または請求項９に記載の骨組構造の組立方法。
【請求項１１】
切妻式の屋根を有する建物の骨組構造を設計するための設計方法であって、
前記屋根の棟と直交する方向の平部の長さを調整するために、予め設定された長さを有する複数の屋根調整フレームの中から、前記平部の長さを達成するのに必要な長さの前記屋根調整フレームを必要な数だけ選定する屋根調整フレーム選定工程を含む、
ことを特徴とする骨組構造の設計方法。
【請求項１２】
前記屋根調整フレーム選定工程は、互いに異なる長さの複数の前記屋根調整フレームから必要な前記屋根調整フレームを選定する工程を含む、
請求項１１に記載の骨組構造の設計方法。
【請求項１３】
前記屋根調整フレーム選定工程は、同一長さの複数の前記屋根調整フレームから必要な前記屋根調整フレームを選定する工程を含む、
請求項１１または請求項１２に記載の骨組構造の設計方法。
【発明の詳細な説明】
【技術分野】
【０００１】
本発明は、骨組構造、骨組キット、骨組構造の組立方法、及び骨組構造の設計方法に関し、より具体的には、切妻式の屋根部分を有する骨組構造の骨組構造、骨組キット、骨組構造の組立方法、及び骨組構造の設計方法に関する。
【背景技術】
【０００２】
従来、仮設建物を組み立てる場合には、例えば特許文献１に示されるように、支柱を所定位置に立て、支柱間に梁材や軒桁材を配置して周壁の骨組を構築し、その上に屋根の骨組を構成する梁材を軒桁材に載せて屋根の骨組を構築する。
【先行技術文献】
【特許文献】
【０００３】
【特許文献１】特開２００４−１８３３６３号公報
【発明の概要】
【発明が解決しようとする課題】
【０００４】
このような従来の仮設建物では、建物の大きさに応じて支柱の長さや屋根の骨組を構築する梁材の長さ等を予め設計する必要があり、設計に時間を要する。このため、仮設建物の受注から竣工までに時間がかかるという問題がある。
【０００５】
本発明の目的は、工期を短縮することができる仮設建物等の建物の骨組構造、骨組キット、骨組構造の組立方法、及び骨組構造の設計方法を提供することにある。
【課題を解決するための手段】
【０００６】
上記の目的を達成するために、本発明の骨組構造は、切妻式の屋根を有する建物の骨組構造であって、互いに平行に配置されて建物の周壁及び屋根の骨組を構成する複数の門形骨組を有し、門形骨組の各々は、周壁の骨組を構成する壁フレームと、記屋根の骨組を構成するとともに、屋根の棟と直交する方向の少なくとも一方の平部の長さを調整するための屋根調整フレームと、を有する、ことを特徴としている。
【０００７】
このように構成された本発明においては、複数の門形骨組が互いに平行に配置されることによって周壁及び屋根の骨組を構成して建物の骨組構造を構成する。各門形骨組は、壁フレームと、屋根調整フレームとを有しており、屋根調整フレームの数及び／又は長さを調整することによって、屋根の少なくとも一方の平部の長さが調整される。屋根の平部の長さを調整することにより、建物の大きさが調整される。つまり、屋根の平部の長さを調整することで建物の大きさを調整することが可能になるので、壁フレームやその他のフレームは、同一形状のものを使用することが可能となり、フレームのモジュール化が実現される。また、屋根調整フレームも、所定長さのものを一種類あるいは複数種類用意して、所望の屋根の平部の長さを達成できるように屋根調整フレームの数及び／又は長さを選定することが可能になるから、屋根調整フレームのモジュール化が実現される。これにより、建物の大きさにかかわらずこれらのフレームを予め製造して用意しておくことができ、設計及び製造に要する時間が短縮される。
【０００８】
本発明では、好ましくは、屋根の少なくとも一方の平部に、互いに異なる長さを有する複数の屋根調整フレームが設けられる。
このように構成された本発明によれば、屋根の少なくとも一方の平部に、互いに異なる長さを有する複数の屋根調整フレームが設けられるので、互いに異なる長さの屋根調整フレームの組み合わせにより、より多様な建物の大きさが実現される。
【０００９】
本発明では、好ましくは、屋根の少なくとも一方の平部に、同一の長さを有する複数の屋根調整フレームが設けられる。
このように構成された本発明によれば、屋根の少なくとも一方の平部に、同一の長さを有する複数の屋根調整フレームが設けられるので、屋根調整フレームの数を調整することによってより多様な建物の大きさが実現されるとともに、予め用意しておく屋根調整フレームの種類を少なくすることができる。
【００１０】
また、上記の目的を達成するために、本発明の骨組キットは、周壁及び切妻式の屋根の骨組を構成する複数の門形骨組が互いに平行に配置されて建物の骨組構造を構成する建物の、門形骨組のための骨組キットであって、屋根の骨組を構成するとともに、屋根の棟と直交する方向の平部の長さを調整するための、屋根調整フレームを有する、ことを特徴としている。
このように構成された本発明によれば、骨組キットが、屋根の棟と直交する方向の平部の長さを調整するための屋根調整フレームを有するので、屋根調整フレームの数及び／又は長さを調整することによって、屋根の少なくとも一方の平部の長さが調整される。屋根の平部の長さを調整することにより、建物の大きさが調整される。つまり、屋根の平部の長さを調整することで建物の大きさを調整することが可能になるので、その他のフレームは、同一形状のものを使用することが可能となり、フレームのモジュール化が実現される。また、屋根調整フレームも、所定長さのものを一種類あるいは複数種類用意して、所望の屋根の平部の長さを達成できるように屋根調整フレームの数及び／又は長さを選定することが可能になるから、屋根調整フレームのモジュール化が実現される。これにより、建物の大きさにかかわらずこれらのフレームを予め製造して用意しておくことができ、設計及び製造に要する時間が短縮される。
【００１１】
本発明では、好ましくは、周壁の骨組を構成する一対の壁フレームと、壁フレームと屋根調整フレームとを接続する一対の壁屋根接続フレームと、屋根の棟を構成するとともに、その両端においてそれぞれ屋根調整フレームと接続する棟接続フレームと、を有する。
このように構成された本発明においては、骨組キットは、壁フレーム、屋根調整フレーム、壁屋根接続フレーム、及び棟接続フレームを有する。このような本発明によれば、屋根調整フレームの接続数を変更することにより、屋根の平部の長さを調整することができ、これによって建物の大きさを調整することができる。よって、壁フレーム、壁屋根接続フレーム、及び棟接続フレームを、異なる大きさの建物に対しても使用することが可能となり、これらのフレームのモジュール化が可能となる。
【００１２】
本発明では、好ましくは、屋根調整フレームは、互いに異なる長さで複数用意されている。
このように構成された本発明によれば、屋根調整フレームが互いに異なる長さで複数用意されているので、互いに異なる長さの屋根調整フレームを組み合わせることにより、より多様な大きさの建物が実現される。
【００１３】
本発明では、好ましくは、屋根調整フレームは、同一長さで複数用意されている。
このように構成された本発明によれば、屋根調整フレームが同一長さで複数用意されているので、屋根調整フレームの数を調整することによってより多様な建物の大きさが実現されるとともに、予め用意しておく屋根調整フレームの種類を少なくすることができる。
【００１４】
また、上記の目的を達成するために、本発明の骨組構造の組立方法は、切妻式の屋根を有する建物の骨組構造を組み立てる組立方法であって、建物の周壁を構成する壁フレームを立設する壁フレーム組立工程と、壁フレームの上部に、屋根調整フレームを連結して屋根の骨組を形成する屋根フレーム組立工程と、を有し、屋根フレーム組立工程は、屋根調整フレームを必要数連結することで、屋根の棟と直交する方向の少なくとも一方の平部の長さを調整する屋根調整工程を含む、ことを特徴としている。
このように構成された本発明によれば、壁フレーム組立工程で壁の骨組を組み立て、屋根フレーム組立工程で屋根の骨組を組み立てる。屋根フレーム組立工程では、屋根調整フレームを必要数連結することによって、屋根の少なくとも一方の平部の長さが調整される。屋根の平部の長さを調整することにより、建物の大きさが調整される。つまり、屋根の平部の長さを調整することで建物の大きさを調整することが可能になるので、壁フレームやその他のフレームは、同一形状のものを使用することが可能となり、フレームのモジュール化が実現される。また、屋根調整フレームも、所定長さのものを一種類あるいは複数種類用意して、所望の屋根の平部の長さを達成できるように屋根調整フレームの数及び／又は長さを選定することが可能になるから、屋根調整フレームのモジュール化が実現される。これにより、建物の大きさにかかわらずこれらのフレームを予め製造して用意しておくことができ、設計及び製造に要する時間が短縮される。
【００１５】
本発明では、好ましくは、屋根調整工程は、互いに異なる長さの複数の屋根調整フレームを用いて、屋根の棟と直交する方向の平部の長さを調整する。
このように構成された本発明によれば、屋根調整工程では、互いに異なる長さの屋根調整フレームを用いて平部の長さを調整するので、互いに異なる長さの屋根調整フレームの組み合わせにより、より多様な建物の大きさが実現される。
【００１６】
本発明では、屋根調整工程は、互いに同一の長さの複数の屋根調整フレームを用いて、屋根の棟と直交する方向の平部の長さを調整する。
このように構成された本発明によれば、互いに同一の長さの複数の屋根調整フレームを用いて平部の長さを調整するので、より多様な建物の大きさが実現されるとともに、予め用意しておく屋根調整フレームの種類を少なくすることができる。
【００１７】
また、上記の目的を達成するために、本発明の骨組構造の設計方法は、切妻式の屋根を有する建物の骨組構造を設計するための設計方法であって、屋根の棟と直交する方向の平部の長さを調整するために、予め設定された長さを有する複数の屋根調整フレームの中から、平部の長さを達成するのに必要な長さの屋根調整フレームを必要な数だけ選定する屋根調整フレーム選定工程を含む、ことを特徴としている。
このように構成された本発明によれば、屋根調整フレーム選定工程では、屋根調整フレームを必要数だけ選定することで屋根の平部の長さが調整される。屋根の平部の長さを調整することにより、建物の大きさが調整される。つまり、屋根の平部の長さを調整することで建物の大きさを調整することが可能になるので、その他のフレームは、同一形状のものを使用することが可能となり、フレームのモジュール化が実現される。また、屋根調整フレームも、所定長さのものを一種類あるいは複数種類用意して、所望の屋根の平部の長さを達成できるように屋根調整フレームの数及び／又は長さを選定することが可能になるから、屋根調整フレームのモジュール化が実現される。これにより、建物の大きさにかかわらずこれらのフレームを予め製造して用意しておくことができ、設計及び製造に要する時間が短縮される。
【００１８】
本発明では、好ましくは、屋根調整フレーム選定工程は、互いに異なる長さの複数の屋根調整フレームから必要な屋根調整フレームを選定する工程を含む。
このように構成された本発明においては、互いに長さが異なる複数の屋根調整フレームから必要な屋根調整フレームを選定するので、互いに異なる長さの屋根調整フレームを組み合わせることにより、より多様な大きさの建物が実現される。
【００１９】
本発明では、好ましくは、屋根調整フレーム選定工程は、同一長さの複数の屋根調整フレームから必要な屋根調整フレームを選定する工程を含む。
このように構成された本発明によれば、同一長さの複数の屋根調整フレームから必要な屋根調整フレームを選定するので、屋根調整フレームの数を調整することによってより多様な建物の大きさが実現されるとともに、予め用意しておく屋根調整フレームの種類を少なくすることができる。
【図面の簡単な説明】
【００２０】
【図１】本発明の一実施形態に係る建物及び建物の骨組構造を示す斜視図である。
【図２】本発明の一実施形態に係る建物の骨組構造の門形骨組を示す図である。
【図３】本発明の一実施形態に係る骨組構造の標準フレームの形状を示す図である。
【図４】本発明の一実施形態に係る骨組構造の調整フレームの形状を示す図である。
【図５】本発明の一実施形態に係る骨組構造のフレームの連結構造を示す図である。
【図６】本発明の一実施形態に係る骨組構造の門形骨組の組み合わせを示す図である。
【発明を実施するための形態】
【００２１】
以下、本発明の好ましい実施形態を添付図面を参照して説明する。
【００２２】
図１は、本発明の一実施形態に係る建物１００の骨組構造１を示す斜視図である。この図１に示すように、建物１００は、切妻式の屋根１０２と、屋根１０２を支える周壁１０４とを有しており、骨組構造１を膜材２で覆うことで構成されている。屋根１０２は、棟１０６と、棟１０６の両側に鉛直方向に対して互いに対称に傾斜する平部１０８とを有する。骨組構造１は、互いに平行に等間隔（例えば２ｍ）に配置された複数の同一形状の主架構材である門形骨組６を、横架材８で結合することによって構成されている。
【００２３】
図２は、本発明の一実施形態に係る建物１００の骨組構造１の門形骨組６を示す図である。この図２に示すように、各門形骨組６は、周壁１０４の骨組を構成する壁フレーム１０と、屋根１０２の骨組を構成する屋根フレーム１２と、屋根フレーム１２と壁フレーム１０とを接続する壁屋根接続フレーム１４と、屋根１０２の棟１０６を構成するとともに、その両端においてそれぞれ屋根フレーム１２と接続する棟接続フレーム１６と、を有する。
本実施形態において、壁フレーム１０、壁屋根接続フレーム１４、及び棟接続フレーム１６は、設置される建物１００の大きさに関わらず同一の寸法形状を有する標準フレームとして形成され、一方、屋根フレーム１２は、所望の建物の大きさを達成するように、屋根１０２の棟１０６と直交する方向の平部１０８の長さを調整するための調整フレームとして形成されている。
【００２４】
図３は、本発明の一実施形態に係る骨組構造の標準フレームの形状を示す図である。この図３に示すように、壁フレーム１０、壁屋根接続フレーム１４、及び棟接続フレーム１６は、ともに、互いに平行に配置された一対の弦材１８と、弦材１８同士を結合する束材２０と、弦材１８の間に斜め方向に延びて各フレーム１０，１４，１６を補強するラチス材２２とを有する、ラチス梁である。本実施形態では、弦材１８及び束材２０は、ともに、角型鋼管を使用している。
【００２５】
図３（ａ）に示すように、壁フレーム１０の束材２０は、壁フレーム１０の上端側と、中間部との２カ所に設けられ、弦材１８に直交する方向に延びている。上端側の束材２０よりも上方には、弦材１８の上端が突出しており、一対の弦材１８の上端と上端側の束材２０とで囲まれた矩形の領域には、他のフレームと連結するための矩形の連結板２４が設けられている。
【００２６】
壁屋根接続フレーム１４は、周壁１０４の骨組の一部を構成する壁部分２６と、屋根１０２の骨組の一部を構成する屋根部分２８と、壁部分２６及び壁部分２８を連結する湾曲部分３０と、を有する。壁部分２６を鉛直方向に配置したとき、屋根部分２８は、水平方向に所定の角度を有して傾斜するように配置されており、本実施形態では、この傾斜角度は、３寸勾配（約１６．７°）となるように設定されている。
壁屋根接続フレーム１４の弦材１８は、壁部分２６の外側の弦材１８、屋根部分２８の外側の弦材１８、及び湾曲部分３０の外側の弦材１８が一本の弦材１８として形成されている。一方、壁部分２６の内側の弦材１８は、まっすぐ延びて、その上端において湾曲部分３０の外側の弦材１８に接続している。また、屋根部分２８の内側の弦材１８は、屋根部分２８の外側の弦材１８と平行に延び、その基端側が壁部分２６の内側の弦材１８に接続している。
【００２７】
壁屋根接続フレーム１４の束材２０は、壁部分２６の下端側及び上端側と、と、屋根部分２８の上端側に設けられている。これらの束材２０は、弦材１８と直交する方向に延びている。
壁部分２６の下端側の束材２０の下方には、弦材１８の下端が突出しており、一対の弦材１８の下端と壁部分２６の下端側の束材２０とで囲まれた矩形の領域には、他のフレームと連結するための矩形の連結板２４が設けられている。同様に、屋根部分２８の上端側の束材２０の上方にも、弦材１８の上端が突出しており、一対の弦材１８の上端と屋根部分２８の上端側の束材２０とで囲まれた矩形の領域には、他のフレームと連結するための矩形の連結板２４が設けられている。
【００２８】
棟接続フレーム１６は、棟１０６の骨組を構成する棟部分３２と、その両側に左右対称に下方に傾斜して、屋根１０２の骨組の一部を構成する屋根部分３４とを有する。本実施形態では、屋根部分３４の傾斜角度は、壁屋根接続フレーム１４の屋根部分２８の傾斜角度に等しく、３寸勾配（約１６．７°）である。
棟接続フレーム１６の束材２０は、棟部分３２と、屋根部分３４の外側とにそれぞれ１つずつ、設けられている。棟部分３２の束材２０は、両側の屋根部分３４の弦材１８の上端をそれぞれ連結するように配置され、棟部分３２が建物１００に配置された状態では棟部分３２の束材２０は鉛直方向に配置される。
屋根部分３４において棟部分３２から遠い側の端部近傍に設けられた束材２０は、弦材１８と直交する方向に延びており、弦材１８の端部が束材２０よりも外方に突出している。一対の弦材１８の端部と屋根部分３２の端部側の束材２０とで囲まれた矩形の領域には、他のフレームと連結するための矩形の連結板２４が設けられている。
【００２９】
図４は、本発明の一実施形態に係る骨組構造の調整フレームである屋根フレーム１２の形状を示す図である。
屋根フレーム１２は、屋根１０２の骨組を構成するとともに、屋根１０２の棟１０６と直交する方向の平部１０８の長さを調整するための第１屋根調整フレーム３６、第２屋根調整フレーム３８、第３屋根調整フレーム４０、第４屋根調整フレーム４２、及び第５屋根調整フレーム４４を有する。
この図４に示すように、第１〜第５屋根調整フレーム３６，３８，４０，４２，４４は、壁フレーム１０、壁屋根接続フレーム１４、及び棟接続フレーム１６と同様に、互いに平行に配置された一対の弦材１８と、弦材１８に直交する方向に延びて弦材１８同士を結合する束材２０と、弦材１８の間に斜め方向に延びて各フレーム８，１４，１６を補強するラチス材２２とを有する、ラチス梁である。本実施形態では、弦材１８及び束材２０は、ともに、角型鋼管を使用している。また、弦材１８の両端で且つ束材２０よりも外方には、他のフレームと連結するための矩形の連結板２４が設けられている。
【００３０】
第１〜第５屋根調整フレーム３６，３８，４０，４２，４４は、それぞれ互いに異なる所定長さＬ1，Ｌ2，Ｌ3，Ｌ4，Ｌ5を有する。本実施形態では、第１〜第４屋根調整フレーム３６，３８，４０，４２の所定長さＬ1〜Ｌ4は、第１屋根調整フレーム３６、第２屋根調整フレーム３８、第３屋根調整フレーム４０、第４屋根調整フレーム４２の順に大きくなるように設定され、第１〜第４屋根調整フレーム３６，３８，４０，４２を３寸勾配で配置したときに、水平方向の寸法が約５００ｍｍずつ増えるように設定されている。また、第５屋根調整フレーム４４の所定長さＬ5は、第１〜第３屋根調整フレーム３６，３８，４０の所定長さＬ1，Ｌ2，Ｌ3より長いが、第４屋根調整フレーム４２の所定長さＬ4よりも短い。第５屋根調整フレーム４４の所定長さＬ5は、３寸勾配で配置したときに水平方向の寸法が約２０００ｍｍとなるように設定されている。
【００３１】
次に、上記のような構造の骨組構造１を組み立てる方法について説明する。
骨組構造１を組み立てる場合には、まず壁フレーム１０を基礎の上に立設し（壁フレーム組立工程）、壁フレーム１０の上端に壁屋根接続フレーム１４を連結する。このとき、壁フレーム１０は、建物１００の幅寸法（間口Ｗ）に対応した間隔をあけて配置する。
図５は、本発明の一実施形態に係る骨組構造１のフレームの連結構造を示す図である。各フレーム同士を連結するための連結構造は共通しており、図５（ａ）に示すように一方のフレームの弦材１８の端部にさや管４６を挿入し、このさや管４６を他方のフレームの弦材１８の端部に挿入して弦材１８を互いに接続する。そして、図５（ｂ）に示すように、隣接する連結板２４，２４にまたがるようにプレート４８を配置し、複数箇所（本実施形態では１６カ所）をボルト５０で固定する。
【００３２】
次に、第１〜第５屋根調整フレーム３６，３８，４０，４２，４４のうち、適切な長さの第１〜第５屋根調整フレーム３６，３８，４０，４２，４４を必要数選定して、壁屋根接続フレーム１４に連結する（屋根フレーム組立工程、屋根調整工程）。その後、第１〜第５屋根調整フレーム３６，３８，４０，４２，４４に棟接続フレーム１６を連結して門形骨組６を組み立てる。
同様の手順で門形骨組６を棟１０６方向に沿って等間隔且つ平行に組み立て、横架材８で連結する。その後、出入口となる開口部を形成する等して、骨組構造１を、完成させる。そして、骨組構造１を膜材２で覆って、建物１００を完成させる。
【００３３】
次に、上記のような構造の門形骨組６の設計方法について説明する。
図６は、本発明の一実施形態に係る骨組構造１の門形骨組６の組み合わせを示す図である。図６に示すように、第１〜第５屋根調整フレーム３６，３８，４０，４２，４４を組み合わせることによって、様々な間口Ｗの建物１００を実現可能である。より具体的には、第１〜第４屋根調整フレーム３６，３８，４０，４２は、屋根１０２に配置されたときに水平方向の長さが約５００ｍｍずつ異なるので、図６（ａ）に示すように、第１〜第４屋根調整フレーム３６，３８，４０，４２のいずれか１つを両側の平部１０８に、壁屋根接続フレーム１４と棟接続フレーム１６との間に１つずつ連結すると、門形骨組６の間口Ｗは、第１屋根調整フレーム３６、第２屋根調整フレーム３８、第３屋根調整フレーム４０、第４屋根調整フレーム４２を使用した門形骨組１の順に１ｍずつ大きくなる。
【００３４】
門形骨組６の間口Ｗを更に大きくする場合には、第１〜第４屋根調整フレーム３６，３８，４０，４２のいずれかに加えて、第５屋根調整フレーム４４を連結する。第５屋根調整フレーム４４は、両側の平部１０８に１つずつ配置されることで建物１００の間口Ｗを４ｍ広くするので、例えば第１屋根調整フレーム３６に第５屋根調整フレーム４４を１つ連結すると、間口Ｗは、第１屋根調整フレーム３６が１つ配置される場合に比べて、４ｍ大きくなり、また第４屋根調整フレーム４２が１つ配置される場合に比べて１ｍ大きくなる。したがって、第１〜第４屋根調整フレーム３６，３８，４０，４２のいずれかに第５屋根調整フレーム４４を組み合わせることで、建物１００の間口Ｗを更に１ｍ間隔で大きくすることができる。
以下同様に、第５屋根調整フレーム４４の数を増加させて、図６（ｃ）（ｄ）（ｅ）及び（ｆ）に示すように、１ｍ毎に間口Ｗを大きくすることが可能になる。
【００３５】
設計者は、このような組み合わせの中から、建物１００の所望の大きさ（間口Ｗ）を実現できる屋根調整フレーム３６，３８，４０，４２，４４の組み合わせを選定する（屋根調整フレーム選定工程）。第１〜第５屋根調整フレーム３６，３８，４０，４２，４４は、いずれか１つを選定してもよいし、これらを組み合わせてもよい。また、第１〜第５屋根調整フレーム３６，３８，４０，４２，４４のいずれか１つまたはいくつかを１つずつ選定してもよいし、複数選定してもよく、必要な種類（長さ）の屋根調整フレーム１２を必要数選定すればよい。
【００３６】
このような骨組構造１の各フレーム、すなわち壁フレーム１０、屋根調整フレーム１２、壁屋根接続フレーム１４、及び棟接続フレーム１６は、建てる建物１００の大きさにかかわらず、予め製造して保管しておく。そして、受注した建物１００の大きさに合わせて、屋根調整フレーム１２の長さ（種類）及び／又は必要数を選定する。
【００３７】
また、一対の壁フレーム１０、一対の壁屋根接続フレーム１４、１つの棟接続フレーム１６、及び屋根調整フレーム１２を、門形骨組６を組み立てるための骨組キットとして用意してもよい。この場合、屋根調整フレーム１２は、どの大きさの門形骨組６でも組み立てられるように、全ての種類の第１〜第５屋根調整フレーム３６，３８，４０，４２，４４を含み、各屋根調整フレーム３６，３８，４０，４２，４４についてそれぞれ複数含んでもよい。図６の組み合わせで建物１００を組み立てることを想定する場合には、第１〜第４屋根調整フレーム３６，３８，４０，４２を２本ずつと、第５屋根調整フレーム４４を８本とを、骨組キットに含んでおけば、間口Ｗが１０ｍから３０ｍまでの全ての建物１００の門形骨組６に対応することができる。
【００３８】
このように構成された本実施形態によれば、次のような優れた効果を得ることができる。
門形骨組６が、壁フレーム１０と、屋根調整フレーム１２と、壁屋根接続フレーム１４と、棟接続フレーム１６とを有しており、屋根調整フレーム１２の数及び／又は長さ（種類）を調整することによって、屋根１０２の平部１０８の長さを調整することができる。これによって建物１００大きさ、つまり建物１００の間口Ｗを調整することができる。したがって、建物１００の大きさが変化しても、同じ形状の壁フレーム１０、壁屋根接続フレーム１４、及び棟接続フレーム１６を使用することができるから、各フレームをモジュール化することができる。
また、屋根調整フレーム１２についても、第１〜第５屋根調整フレーム３６，３８，４０，４２，４４を用意することによって、これらの屋根調整フレーム１２の数及び／又は長さ（種類）を選定することで建物１００の大きさを調整することができるから、屋根調整フレーム１２をモジュール化することができる。
これにより、建物１００の大きさにかかわらずこれらのフレームを予め製造して用意しておくことができ、設計及び製造に要する時間が短縮される。
【００３９】
屋根調整フレーム１２として第１〜第５屋根調整フレーム３６，３８，４０，４２，４４の５種類の屋根調整フレームを用意し、これらの第１〜第５屋根調整フレーム３６，３８，４０，４２，４４は、互いに異なる長さを有するので、例えば図６（ｂ）〜（ｆ）に示すように、異なる長さの屋根調整フレーム（図６（ｂ）の左の例では第１屋根調整フレーム３６と第５屋根調整フレーム４４）を組み合わせることにより、より多様な大きさの建物１００を実現することができる。
【００４０】
また、例えば図６（ｃ）〜（ｆ）に示すように、同一長さの第５屋根調整フレーム４４を複数個連結することにより、屋根１０２の平部１０８の長さを調整することができるから、予め用意しておく屋根調整フレーム１２の種類を少なくすることができる。
【００４１】
屋根調整フレーム１２を含んで門形骨組６の骨組キットを構成すれば、適切な長さ（種類）の屋根調整フレーム１２を必要数選定して屋根１０２の平部１０８の長さを調整することができるから、予め用意された屋根調整フレーム１２を用いて様々な建物１００の大きさに対応することができる。よって、建物の大きさにかかわらず屋根調整フレーム１２を骨組キットとして予め製造して用意しておくことができ、設計及び製造に要する時間を短縮することができる。
【００４２】
骨組キットの屋根調整フレーム１２として、互いに異なる長さの第１〜第５屋根調子フレーム３６，３８，４０，４２，４４を含むことにより、これらの第１〜第５屋根調整フレーム３６，３８，４０，４２，４４を組み合わせることにより、より多様な大きさの建物１００を組み立てることができる。
【００４３】
骨組キットの屋根調整フレーム１２として同一長さの第５屋根調整フレーム４４を複数含むことにより、第５屋根調整フレーム４４を必要数組み合わせることにより屋根１０２の平部１０８の長さの調整を可能にしながら屋根調整フレーム１２の種類を少なくすることができる。
【００４４】
骨組キットとして、屋根調整フレーム１２の他に、一対の壁フレーム１０、一対の壁屋根接続フレーム１４、及び１つの棟接続フレーム１６を含める場合には、骨組キットを用いて様々な大きさの門形骨組６を組み立てることができるから、異なる大きさの建物１００にも同じ骨組キットで組み立て対応することができる。
【００４５】
骨組構造１を組み立てる場合には、壁フレーム１０の上端に壁屋根接続フレーム１４を連結し、必要な長さ（種類）の屋根調整フレーム１２を必要数選定して屋根１０２の骨組を組み立てるので、屋根１０２の平部１０８の長さを調整することができる。これによって建物１００大きさ、つまり建物１００の間口Ｗを調整することができる。したがって、建物１００の大きさが変化しても、同じ形状の壁フレーム１０、壁屋根接続フレーム１４、及び棟接続フレーム１６を使用することができるから、様々な大きさの建物１００の組立に対応することができる。
【００４６】
骨組構造１を設計する場合には、予め設計された屋根調整フレーム１２から必要な長さ（種類）の屋根調整フレーム１２を必要数選定して屋根１０２の平部１０８の長さを調整するので、同じ屋根調整フレーム１２を用いて様々な大きさの建物１００を設計することができる。
【００４７】
本発明は、以上の実施の形態に限定されることなく、例えば、以下のような態様であってもよい。
骨組構造を構成する各フレームは、前述の実施形態のようにラチス梁でなくてもよく、任意の構造の梁を採用することができる。また、各フレームは、前述の実施形態のように角形鋼管を使用しなくてもよく、例えば鋼管など、任意の断面形状の材料を使用することができる。
前述の実施形態では、屋根調整フレームは、屋根の両側の平部に同じ数設けられていたが、これに限らず、屋根調整フレームは、屋根の形状に応じて、両側の平部に異なる数設けられていてもよく、また一方の平部にのみ設けられていてもよい。要するに、屋根調整フレームは、屋根の平部の少なくとも一方の長さを調整していればよい。
【００４８】
屋根調整フレームは、必要となるであろう建物の大きさに応じて、予め屋根調整フレームのいくつかを工場で連結して用意しておいてもよい。また、壁フレームと壁屋根接続フレームや、棟接続フレームと屋根調整フレーム等、任意の組み合わせで予め連結して用意しておいてもよい。
各フレームの連結方法は、前述の実施形態のような連結板及びボルトによるものに限らず、例えばフランジ結合等、任意の連結構造を採用することができる。
骨組構造は、その大きさに応じて補強構造を有していてもよい。具体的には、例えば、組み立てた門形骨組にタイバーや方杖を設けてもよい。
【００４９】
第１の屋根調整フレームのみを使用して、第１の屋根調整フレームの数を調整することで屋根の平部の長さ、ひいては建物の大きさを調整するようにしてもよい。
屋根調整フレームの種類は、前述の実施形態では５つであったが、これに限らず、例えば１つであってもよいし、あるいは２つ以上の複数であってもよい。また、屋根調整フレームの数は、互いに異なる長さで複数用意されていてもよいし、同一長さのものだけを複数用意してもよい。要するに、屋根調整フレームの種類（長さ）と数は、想定する建物の大きさ等に応じてそれぞれ任意に設定することができる。
【００５０】
本発明の骨組構造は、少なくとも壁フレームと屋根調整フレームとを有していればよい。本発明の骨組キットは、少なくとも、屋根の骨組を構成するとともに、屋根の棟と直交する方向の平部の長さを調整するための、屋根調整フレームを有していればよい。本発明の骨組構造の組立方法は、少なくとも壁フレームを立設する壁フレーム組立工程と、壁フレームの上部に、屋根調整フレームを連結して屋根の骨組を形成する屋根フレーム組立工程と、を有していればよく、屋根フレーム組立工程は、屋根調整フレームを必要数連結することで、屋根の棟と直交する方向の少なくとも一方の平部の長さを調整する屋根調整工程を含んでいればよい。本発明の骨組構造の設計方法は、少なくとも、屋根の棟と直交する方向の平部の長さを調整するために、予め設定された長さを有する複数の屋根調整フレームの中から、平部の長さを達成するのに必要な長さの屋根調整フレームを必要な数だけ選定する屋根調整フレーム選定工程を含んでいればよい。
【符号の説明】
【００５１】
１  骨組構造
２  膜材
６  門形骨組
１０  壁フレーム
１２  屋根調整フレーム
１４  壁屋根接続フレーム
１６  棟接続フレーム
３６，３８，４０，４２，４４  第１〜第５屋根調整フレーム
１００  建物
１０２  屋根
１０４  周壁
１０６  棟
１０８  平部
【図１】
2019105044.tif 000003
【図２】
2019105044.tif 000004
【図３】
2019105044.tif 000005
【図４】
2019105044.tif 000006
【図５】
2019105044.tif 000007
【図６】
2019105044.tif 000008